(57)【要約】【課題】吸引方式のレンジフードでは、調理の油煙が、フイルターでは完全に捕りきれずに、ファンに付着し、掃除しにくい課題があり、掃除性を向上することが要求されている。【解決手段】電動機１によって駆動されるファン２と、油煙を捕集するフード３と油煙を捕集するフイルター４を有し、前記ファン２により空気を前記フード３から前記フイルタを４を通して吸引し、前記フード３の吸込口には、吸込空気を旋回させ油煙を回収できるようにした油煙回収手段を有するレンジフード。【選択図】図１
2006349237.tif 000002
【特許請求の範囲】
【請求項１】
電動機によって駆動されるファンと、油煙を捕集するフードと油煙を捕集するフイルターを有し、前記ファンにより空気を前記フードから前記フイルタを通して吸引し、前記フードの吸込口には、吸込空気を旋回させ油煙を回収できるようにした油煙回収手段を有するレンジフード。
【請求項２】
吸込口には、中心部に内ダクトを備えそれを取り囲む外ダクトを有し、さらに吸込空気を旋回させる手段を備えたことを特徴とした請求項１記載のレンジフード。
【請求項３】
吸込口には、中心部に内ダクトを備えそれを取り囲む外ダクトを有し、さらに吸込空気を旋回させるため、吸込部入口に旋回用固定フインを備えたことを特徴とした請求項１または２記載のレンジフード。
【請求項４】
吸込口には、中心部に内ダクトを備えそれを取り囲む外ダクトを有し、前記外ダクトの内壁面下部には油回収箱を備えたことを特徴とした請求項１〜３のいずれかに記載のレンジフード。
【請求項５】
吸込口には、中心部に内ダクトを備えそれを取り囲む外ダクトを有し、内ダクトの吸込口端面と略平行に、吸込口端面から前記吸込口の直径の１／４以上の距離に内ダクト直径と０．９倍〜１．１倍の直径の円板を有し、さらに吸込空気を旋回させるため、外ダクトの内側に旋回用固定フインを備えたことを特徴とした請求項１〜４のいずれかに記載のレンジフード。
【請求項６】
吸込口には、中心部に内ダクトを備えそれを取り囲む外ダクトを有し、さらに吸込空気を旋回させるため、外ダクトの外部に補助ファンを有し、外ダクトの周囲に複数の吹出口を設け、空気を内ダクト側に旋回して吹き出すことを特徴とした請求項１、２、３または５記載のレンジフード。
【請求項７】
電動機によって駆動されるファンは、屋外に設置され、内ダクトから空気を吸引するようにし、ファンに油煙が付着しにくくしたことを特徴とする請求項１〜５のいずれかに記載のレンジフード。
【請求項８】
電動機によって駆動されるファンおよび補助ファンは、屋外に設置され、ファンに油煙が付着しにくくしたことを特徴とする請求項６記載のレンジフード。
【請求項９】
吸込口には、中心部に内ダクトを備えそれを取り囲む外ダクトを有し、さらに吸込空気を旋回させるため吸込部入口に旋回用固定フインを設置し、前記内ダクトは内部に油煙補助フイルターを備えたことを特徴とする請求項７または８記載のレンジフード。
【発明の詳細な説明】
【技術分野】
【０００１】
本発明は、台所などに使用されるレンジフードに関するものである。
【背景技術】
【０００２】
従来、この種のレンジフードは家庭や事務所で使用されているものがあった（例えば特許文献１参照）。
【０００３】
以下、この種のレンジフードについて、図８を参照しながら説明する。
【０００４】
図８に示すように、レンジフード１０１の前面板１０２は傾斜しており、前面板１０２の上部にフイルター１０３と、吸込口１０４を設け、内部に遠心ファン１０５を装備してある。
【０００５】
上記構成により、遠心ファン１０５が回転すると、吸込口１０４より空気が吸引されるが前面板１０２に流れが沿うので吸込口１０４に行き易い構造になっている。しかし、油はフイルター１０３のみで回収されるので、内部の前記遠心ファン１０５にも付着するので、掃除性は難しい。
【特許文献１】特開平１−１０７０３９号公報
【発明の開示】
【発明が解決しようとする課題】
【０００６】
このような従来のレンジフードでは、調理の油煙が、フイルターでは完全に捕りきれずに、ファンに付着し、掃除しにくい課題があり、上記従来例の吸引方式では、掃除性を向上することが要求されている。
【０００７】
本発明は、このような従来の課題を解決するものであり、フードの吸込口には、吸込空気を旋回させ油煙を回収できるようにした手段を有し、掃除性を向上したレンジフードを提供することを目的としている。
【課題を解決するための手段】
【０００８】
本発明のレンジフードは、上記目的を達成するために、電動機によって駆動されるファンと、油煙を捕集するフードと油煙を捕集するフイルターを有し、前記ファンにより空気を前記フードから前記フイルタを通して吸引し、前記フードの吸込口には、吸込空気を旋回させ油煙を回収できるようにした油煙回収手段を有する構造としたものである。
【０００９】
本発明によれば、油煙回収手段によりほとんど油煙が回収されるので、ファンには油煙を含んだ空気は入らないので、課題となっている羽根車に油煙が付着することを防止し、掃除性のよいレンジフードが得られる。
【００１０】
また、他の手段は、上記目的を達成するために、吸込口には、中心部に内ダクトを備えそれを取り囲む外ダクトを有し、さらに吸込空気を旋回させる手段を備えたことを特徴としたものである。
【００１１】
本発明によれば、油煙回収手段によりほとんど油煙が回収されるので、ファンには油煙を含んだ空気は入らないので、課題となっている羽根車に油煙が付着することを防止し、掃除性のよいレンジフードが得られる。
【００１２】
また、他の手段は、上記目的を達成するために、吸込口には、中心部に内ダクトを備えそれを取り囲む外ダクトを有し、さらに吸込空気を旋回させるため、吸込部入口に旋回用固定フインを備えた構造としたものである。
【００１３】
本発明によれば、油煙回収手段によりほとんど油煙が回収されるので、ファンには油煙を含んだ空気は入らないので、課題となっている羽根車に油煙が付着することを防止し、掃除性のよいレンジフードが得られる。
【００１４】
また、他の手段は、上記目的を達成するために、吸込口には、中心部に内ダクトを備えそれを取り囲む外ダクトを有し、前記外ダクトの内壁面下部には油回収箱を備えたものである。
【００１５】
本発明によれば、油煙回収手段によりほとんど油煙が回収されるので、ファンには油煙を含んだ空気は入らないので、課題となっている羽根車に油煙が付着することを防止するとともに、回収し易い構造なので、掃除性の容易なレンジフードが得られる。
【００１６】
また、他の手段は、上記目的を達成するために、吸込口には、中心部に内ダクトを備えそれを取り囲む外ダクトを有し、内ダクトの吸込口端面と略平行に、吸込口端面から前記吸込口の直径の１／４以上の距離に内ダクト直径と０．９倍〜１．１倍の直径の円板を有し、さらに吸込空気を旋回させるため、外ダクトの内側に旋回用固定フインを備えたを備えたものである。
【００１７】
本発明によれば、油煙回収手段によりほとんど油煙が回収されるので、ファンには油煙を含んだ空気は入らないので、課題となっている羽根車に油煙が付着することを防止し、掃除性のよいレンジフードが得られる。
【００１８】
また、他の手段は、上記目的を達成するために、吸込口には、中心部に内ダクトを備えそれを取り囲む外ダクトを有し、さらに吸込空気を旋回させるため、外ダクトの外部に補助ファンを有し、外ダクトの周囲に複数の吹出口を設け、空気を内ダクト側に旋回して吹き出すようにした構造としたものである。
【００１９】
本発明によれば、油煙回収手段によりほとんど油煙が回収されるので、ファンには油煙を含んだ空気は入らないので、課題となっているファンに油煙が付着することを防止し、掃除性のよいレンジフードが得られる。
【００２０】
また、他の手段は、上記目的を達成するために、電動機によって駆動されるファンは、屋外に設置され、内ダクトから空気を吸引するようにした構造としたものである。
【００２１】
本発明によれば、油煙回収手段によりほとんど油煙が回収されるので、ファンには油煙を含んだ空気は入らないので、課題となっている羽根車に油煙が付着することを防止し、掃除性のよいレンジフードが得られる。
【００２２】
また、他の手段は、上記目的を達成するために、電動機によって駆動されるファンおよび補助ファンは、屋外に設置された構造としたものである。
【００２３】
本発明によれば、油煙回収手段によりほとんど油煙が回収され、さらに、ファンおよび補助ファンは、油煙発生個所から遠方にあるので、油煙を含んだ空気は入らないので、課題となっている羽根車に油煙が付着することを防止し、掃除性のよいレンジフードが得られる。
【００２４】
また、他の手段は、上記目的を達成するために、吸込口には、中心部に内ダクトを備えそれを取り囲む外ダクトを有し、さらに吸込空気を旋回させるため吸込部入口に旋回用固定フインを設置し、前記内ダクトは内部に油煙補助フイルターを備えた構造としたものである。
【００２５】
本発明によれば、油煙回収手段によりほとんど油煙が回収され、さらに、ファンは、油煙発生個所から遠方にあり、かつ補助フイルターがあるので、油煙を含んだ空気はさらに入らないので、課題となっている羽根車に油煙が付着することを防止し、掃除性のよいレンジフードが得られる。
【発明の効果】
【００２６】
本発明によれば、油煙を回収できるようにし、掃除性を向上したレンジフードを提供することができる。
【発明を実施するための最良の形態】
【００２７】
本願発明は、電動機によって駆動されるファンと、フードおよびフイルターを有し、前記フードの吸込口には、吸込空気を旋回させ遠心力により大きな油煙はファンに入るまでに回収できるようにした構成であり、ファンに入る油煙はほとんど少なくし、掃除性を向上したレンジフードを提供することができる。
【００２８】
以下に、本発明の実施の形態について、図面を参照しながら説明する。
【００２９】
（実施の形態１）
図１は本発明の実施の形態１のレンジフードの構成図を示し、図１（ａ）は同側断面図を示し、図１（ｂ）は同下面図を示す。
【００３０】
図１（ａ）および図１（ｂ）において、電動機１にファン２が設置されており、油煙を集めるフード３にフイルター４が設置されている。また、前記フード３の吸込口には、中心部に内ダクト５を備え、それを取り囲む外ダクト６を有し、さらに吸込空気を旋回させるために、吸込部入口に吸込口端面に対して平行で、かつ傾斜した角度を持った放射状の旋回用固定フイン７を設置している。
【００３１】
上記構成において、電動機１によってファン２が駆動されると、油煙がフード３からフイルター４を通り、前記羽根車２に吸引されるが、通常フイルター４のみでは油煙を捕集できず、前記羽根車２にも油煙の油が付着しようとする。しかし、前記フード３の吸込口には、中心部に内ダクト５を備えそれを取り囲む外ダクト６を有し、さらに吸込空気を旋回させるために、吸込部入口に吸込口端面に対して平行で、かつ傾斜した角度を持った放射状の旋回用固定フイン７を設置しているので、前記旋回用固定フイン７の傾斜角度に沿って吸込空気は旋回し、比重の大きい油は遠心力で外ダクト６の内壁面８に付着し、内ダクト５には入っていかない。このため前記羽根車２に付着する油は少なくなり、掃除性はよくなる。
【００３２】
これにより、ファンに油煙が付着することを防止するとともに、掃除性の容易なレンジフードが得られる。
【００３３】
（実施の形態２）
図２は本発明の実施の形態２におけるレンジフードの断面図である。なお、実施の形態２と同一部分については同一番号を付し、詳細な説明を省略する。
【００３４】
図２に示すように、電動機１にファン２が設置されており、油煙を集めるフード３にフイルター４が設置されている。また、前記フード３の吸込口には、中心部に内ダクト５を備え、それを取り囲む外ダクト６を有し、さらに吸込空気を旋回させるために、吸込部入口に吸込口端面に対して平行で、かつ傾斜した角度を持った放射状の旋回用固定フイン７を設置している。また、前記外ダクト６の内壁面８の下部には油回収箱９を設置している。
【００３５】
上記構成において、旋回固定フィン７により、吸込空気は旋回させられ、遠心力によりない前記外ダクト６の内壁面８に付着するが、内壁面８の下部に油回収箱９が設置されているので、油回収箱９に集まり、容易に回収することができる。
【００３６】
これにより、前記ファン２に付着する油は少なくなり、さらに集めた油を容易に回収できるので掃除性はさらに容易になる。
【００３７】
（実施の形態３）
図３は本発明の実施の形態３におけるレンジフードの断面図である。なお、実施の形態１または２と同一部分については同一番号を付し、詳細な説明を省略する。
【００３８】
図３に示すように、電動機１によってファン２が駆動されると、油煙がフード３からフイルター４を通り、前記ファン２に吸引されるが、通常フイルター４のみでは油煙を捕集できず、前記羽根車２にも油煙の油が付着しようとする。しかし、前記フード３の吸込口には、中心部に内ダクト５を備えそれを取り囲む外ダクト６を有し、さらに吸込空気を旋回させるため、吸込部入口に固定フイン７を設置しているので、吸込空気は旋回し、比重の大きい油は外ダクト６の内壁面８に付着し、内ダクト５には入っていかない。
【００３９】
さらに、内ダクト５の吸込口１０から前記吸込口１０の直径の１／４以上の距離に内ダクト直径と０．９倍〜１．１倍の直径の空気を通過させない円板１１を有し、さらに吸込空気を旋回させるため、外ダクト６の内側に固定フイン７を設置しているので、流れの旋回は外ダクト６と内ダクトの間のみで発生し、遠心力で外ダクト６に油を付着させ、油成分の少ない空気のみ内ダクト５から吸引することができる。
【００４０】
また、円板１１と内ダクト５との距離が前記吸込口１０の直径の１／４以上離れているので、空気抵抗も小さい。吸込口の直径の１／４以下では、吸込口に入る空気に圧力損失がかかり、電力が増加する。１／４以上では、電力はほとんど変化しない。また吸込口の直径より大きすぎると圧力損失がかかり、小さすぎると旋回用固定フインにより旋回された流れが内ダクト内に入ってしまい、ファンに入る油煙が多くなってしまう。
【００４１】
これにより、ファンに油煙が付着することを防止するとともに、掃除性の容易なレンジフードが得られる。
【００４２】
（実施の形態４）
図４は本発明の実施の形態４におけるレンジフードの断面図である。なお、実施の形態１乃至３のいずれかと同一部分については同一番号を付し、詳細な説明を省略する。
【００４３】
図４に示すように、電動機１によってファン２が駆動されると、油煙がフード３からフイルター４を通り、前記ファン２に吸引されるが、通常フイルター４のみでは油煙を捕集できず、前記羽根車２にも油煙の油が付着しようとする。しかし、前記フード３の吸込口には、中心部に内ダクト５を備えそれを取り囲む外ダクト６を有し、さらに吸込空気を旋回させるため、外ダクトの外部に補助ファン１２を有し、外ダクト６の周囲に複数の吹出口１３を設け、空気を内ダクト５側に旋回して吹き出すようにしているので、内ダクト５には油の多い成分の空気は入っていかない。
【００４４】
これにより、ファンに油煙が付着することを防止するとともに、さらに掃除性の容易なレンジフードが得られる。
【００４５】
（実施の形態５）
図５は本発明の実施の形態５におけるレンジフードの断面図である。なお、実施の形態１乃至４のいずれかと同一部分については同一番号を付し、詳細な説明を省略する。
【００４６】
図５に示すように、電動機１によってファン２が駆動されると、油煙がフード３からフイルター４を通り、前記ファン２に吸引されるが、通常フイルター４のみでは油煙を捕集できず、前記ファン２にも油煙の油が付着しようとする。しかし、前記フード３の吸込口には、中心部に内ダクト５を備えそれを取り囲む外ダクト６を有し、さらに吸込空気を旋回させるため、吸込部入口に固定フイン７を設置しているので、吸込空気は旋回し、比重の大きい油は外ダクト６の内壁面８に付着し、内ダクト５の吸込口１０には入っていかない、さらに、電動機によって駆動されるファン２は、屋外に設置され、内ダクト５の吸込口１０から空気を吸引するようにしており、前記ファン２に空気が入るまでに、配管ダクト１５内に油煙が付着し、前記ファン２に付着する油は、ほとんど無くなる。
【００４７】
これにより、ファンに油煙が付着することを防止するとともに、さらに掃除性が容易で、室内の設置スペースの小さなレンジフードが得られる。
【００４８】
（実施の形態６）
図６は本発明の実施の形態６におけるレンジフードの断面図である。なお、実施の形態１乃至５のいずれかと同一部分については同一番号を付し、詳細な説明を省略する。
【００４９】
図６に示すように、電動機１によってファン２が駆動されると、油煙がフード３からフイルター４を通り、前記ファン２に吸引されるが、通常フイルター４のみでは油煙を捕集できず、前記ファン２にも油煙の油が付着しようとする。しかし、前記フード３の吸込口には、中心部に内ダクト５を備えそれを取り囲む外ダクト６を有し、さらに吸込空気を旋回させるため、外ダクトの外部に補助ファン１２を有し、外ダクト６の周囲に複数の吹出口１３を設け、空気を内ダクト５側に旋回して吹き出すようにしているので、内ダクト５には油の多い成分の空気は入っていかない。さらに、電動機１によって駆動されるファン２および補助ファン１２は、屋外に設置されており、前記ファン２に付着する油は、ほとんど無く、室内の設置スペースも小さくなる。
【００５０】
これにより、ファンに油煙が付着することを防止するとともに、さらに掃除性の容易で、かつ室内の設置スペースの小さなレンジフードが得られる。
【００５１】
（実施の形態７）
図７は本発明の実施の形態７におけるレンジフードの断面図である。なお、実施の形態１乃至６のいずれかと同一部分については同一番号を付し、詳細な説明を省略する。
【００５２】
図７において、電動機１によってファン２が駆動されると、油煙がフード３からフイルター４を通り、前記羽根車２に吸引されるが、通常フイルター４のみでは油煙を捕集できず、前記羽根車２にも油煙の油が付着しようとする。しかし、前記フード３の吸込口には、中心部に内ダクト５を備えそれを取り囲む外ダクト６を有し、さらに吸込空気を旋回させるため、吸込部入口に固定フイン７を設置しているので、吸込空気は旋回し、比重の大きい油は外ダクト６の内壁面８に付着し、内ダクト５には入っていかない。また、前記内ダクトは内部に内フイルター１４を設置しているので、油はここでも捕集される。このため前記羽根車２に付着する油はさらに少なくなり、掃除性はよくなる。
【００５３】
これにより、ファンに油煙が付着することを防止するとともに、掃除性の容易なレンジフードが得られる。
【産業上の利用可能性】
【００５４】
本発明のレンジフードは、油煙を回収できるようにし、ファンでの油の付着を小さくし掃除性を向上したレンジフードで、台所用換気機器用として有用である。
【図面の簡単な説明】
【００５５】
【図１】本発明の実施の形態１のレンジフードの構成図（ａ）は同側断面図（ｂ）は同下面図
【図２】同実施の形態２のレンジフードの側断面図
【図３】同実施の形態３のレンジフードの側断面図
【図４】同実施の形態４のレンジフードの側断面図
【図５】同実施の形態５のレンジフードの側断面図
【図６】同実施の形態６のレンジフードの側断面図
【図７】同実施の形態７のレンジフードの側断面図
【図８】従来のレンジフードの側断面図
【符号の説明】
【００５６】
１      電動機
２      ファン
３      フード
４      フイルター
５      内ダクト
６      外ダクト
７      旋回用固定フイン
８      内壁面
９      油回収箱
１０    吸込口
１１    円板
１２    補助ファン
１３    吹出口
１４    内フイルター
１５    配管ダクト
１０１  レンジフード
１０２  前面板
１０３  フイルター
１０４  吸込口
１０５  遠心ファン
【図１】
2006349237.tif 000003
【図２】
2006349237.tif 000004
【図３】
2006349237.tif 000005
【図４】
2006349237.tif 000006
【図５】
2006349237.tif 000007
【図６】
2006349237.tif 000008
【図７】
2006349237.tif 000009
【図８】
2006349237.tif 000010